(57)【要約】【課題】  簡単な構成で、複数のセンサの状態を判別することができるセンサ状態判別装置を提供する。【解決手段】  複数のセンサ１７乃至１９の各受光素子２７ａ乃至２７ｃとそれぞれ直列に接続された抵抗値の異なる複数の抵抗２０乃至２２と、複数のセンサ１７乃至１９の各受光素子２７ａ乃至２７ｃとそれに直列に接続された抵抗２０乃至２２とが接続された信号線１５と、電圧値に対応づけて複数のセンサ１７乃至１９の状態に関する情報を記憶する記憶手段と、複数の抵抗２０乃至２２のうち、通電した受光素子と直列に接続された抵抗の合成抵抗値に応じて生じた信号線１５の電圧の値に対応するセンサ１７乃至１９に関する情報を前記記憶手段から読み出して複数のセンサ１７乃至１９それぞれについて受光素子が通電しているか否かを判別する判別手段と、を備える。【選択図】      図２
2006067196.tif 000002
【特許請求の範囲】
【請求項１】
発光素子と該発光素子が発した光を受光して通電する受光素子からなる複数のセンサと、該複数のセンサの各受光素子とそれぞれ直列に接続された抵抗値の異なる複数の抵抗と、前記複数のセンサの各受光素子とそれに直列に接続された前記抵抗とが接続された信号線と、電圧値に対応づけて前記複数のセンサの状態に関する情報を記憶する記憶手段と、前記複数の抵抗のうち、通電した受光素子と直列に接続された抵抗の合成抵抗値に応じて生じた前記信号線の電圧の値に対応する前記センサに関する情報を前記記憶手段から読み出して前記複数のセンサそれぞれについて前記受光素子が通電しているか否かを判別する判別手段と、を備えることを特徴とするセンサ状態判別装置。
【請求項２】
発光素子と該発光素子が発した光を受光して通電する受光素子からなる複数のセンサと、該複数のセンサの各受光素子とそれぞれ直列に接続された抵抗値の異なる複数の抵抗と、発光素子の駆動電源に接続された電源供給線と、前記複数のセンサの各発光素子を前記電源供給線とともに並列に接続するアース用の接地線と、前記複数のセンサの各受光素子とそれに直列に接続された前記抵抗とを前記接地線とともに並列に接続する信号線と、該信号線を介して前記複数の抵抗のそれぞれと直列に接続されるとともに前記信号線と接続されていない側の端子が検出用電源に接続されたプルアップ抵抗と、電圧値に対応づけて前記複数のセンサの状態に関する情報を記憶する記憶手段と、前記信号線の電圧値に対応する前記センサに関する情報を前記記憶手段から読み出して前記複数のセンサそれぞれについて前記受光素子が通電しているか否かを判別する判別手段と、を備えることを特徴とするセンサ状態判別装置。
【請求項３】
前記複数のセンサは、フォトインタラプタであることを特徴とする請求項２記載のセンサ状態判別装置。
【請求項４】
前記複数のセンサは、自装置のカバーの開閉を検出するためのものであることを特徴とする請求項２又は３記載のセンサ状態判別装置。
【発明の詳細な説明】
【技術分野】
【０００１】
本発明は、センサ状態判別装置に関し、詳しくは、ファクシミリ装置やコピー機、これらの複合機等が備えるセンサ状態判別装置に関する。
【背景技術】
【０００２】
従来より、コピー機能やファクシミリ機能を併せ持つ複合機等には、装置の前面や側面に開閉可能なカバーが設けられており、ユーザやサービスマンは、そのカバーを開放して装置本体の内部にアクセスし、紙ジャム解除処理やプロセスユニットの交換等を行うことができる。しかし、カバーが開放された状態では、画像形成動作が正常に行われないため、カバーの開放を検出するセンサを適宜設けて、該センサがカバーの開放を検出した場合に、画像形成動作等を中断するようになっている。このように、カバーの開放を検出するセンサとしては、例えば、フォトインタラプタが用いられている。
【０００３】
図６は、カバーの開放を検出するフォトインタラプタを示した図である。このフォトインタラプタ１０１は、発光素子の駆動電源（不図示）から供給された電源により発光する発光ダイオード（ＬＥＤ：Light Emitting Diode）１０２と、該発光ダイオード１０２が発した光を受光することにより通電するフォトトランジスタ１０３とが、カバー１０４が閉じられた状態で発光ダイオード１０２からフォトトランジスタ１０３への光路がカバー１０４のアーム１０５によって遮られるように配設されたものである。そして、図示するように、カバー１０４が開放された場合に、フォトトランジスタ１０３がアーム１０５によって遮られていた発光ダイオード１０２の光を受光して通電することにより、カバー１０４の開放を検出することができる。このようなフォトインタラプタ１０１を用いた装置としては、複数のフォトインタラプタを用いて搬送路を通過する記録用紙の有無を検出する画像形成装置がある（例えば、特許文献１参照）。
【０００４】
図７は、特許文献１の画像形成装置のように、複数のフォトインタラプタを有するセンサ状態判別装置の一般的な構成を示した回路図である。図示するように、各フォトインタラプタ１０１には、電源１０６から発光ダイオード１０２に電源を供給するための電源供給線１０７と、発光ダイオード１０２とフォトランジスタ１０３をＧＮＤ（グランド）１０８に接続するための接地線１０９と、各発光素子１０３と直列に接続された抵抗１１０に対して電源１０６側の電圧値を入力ポート１１１に出力する信号線１１２の３つの電線がそれぞれ接続されており、入力ポート１１１は、信号線１１２の電圧値からフォトトランジスタ１０３の通電の有無を判別し、センサ状態判別装置が備える制御部（不図示）に出力する。
【０００５】
例えば、フォトトランジスタ１０３が発光ダイオード１０２からの光を受光している場合には、フォトトランジスタ１０３は通電状態であるので、ローレベルの電圧値が入力ポート１１１に入力される。一方、フォトトランジスタ１０３が発光ダイオード１０２からの光を受光していない場合には、フォトトランジスタ１０３は通電していないので、ハイレベルの電圧値が入力ポート１１１に入力される。入力ポート１１１は、ローレベルの電圧値が入力された場合には、フォトトランジスタ１０３が通電していると判別し、制御部は、入力ポート１１１からの出力により発光ダイオード１０２とフォトトランジスタ１０３の間の遮蔽物が除かれたと判別する。また、入力ポート１１１は、ハイレベルの電圧値が入力された場合には、フォトトランジスタ１０３が通電していないと判別し、制御部は、入力ポート１１１からの出力により遮蔽物が存在すると判別する。したがって、例えば、遮蔽物がアーム１０５である場合には、制御部は、入力ポート１１１にローレベルの電圧値が入力されると、カバーが開放されたと判別し、入力ポート１１１にハイレベルの電圧値が入力されると、カバーが閉じられていると判別することができる。
【特許文献１】特開平８−２０４８９０号公報
【発明の開示】
【発明が解決しようとする課題】
【０００６】
しかしながら、従来のセンサ状態判別装置では、図７に示すように、フォトインタラプタ１０１に電源を供給するための電源供給線１０７と、フォトインタラプタ１０１とＧＮＤ１０８とを接続するための接地線１０９と、フォトインタラプタ１０１からの検出信号を送るための信号線１１２と、の３本の電線がセンサ（フォトインタラプタ１０１）毎に必要であった。そのため、センサの数が多くなるにつれて、電線の数が増加し、配線が複雑になるという問題があった。
【０００７】
本発明は、以上のような問題点に鑑みてなされたものであり、簡単な構成で、複数のセンサの状態を判別することができるセンサ状態判別装置を提供することを目的とする。
【課題を解決するための手段】
【０００８】
上記目的を達成するために、請求項１記載のセンサ状態判別装置は、発光素子と該発光素子が発した光を受光して通電する受光素子からなる複数のセンサと、該複数のセンサの各受光素子とそれぞれ直列に接続された抵抗値の異なる複数の抵抗と、前記複数のセンサの各受光素子とそれに直列に接続された前記抵抗とが接続された信号線と、電圧値に対応づけて前記複数のセンサの状態に関する情報を記憶する記憶手段と、前記複数の抵抗のうち、通電した受光素子と直列に接続された抵抗の合成抵抗値に応じて生じた前記信号線の電圧の値に対応する前記センサに関する情報を前記記憶手段から読み出して前記複数のセンサそれぞれについて前記受光素子が通電しているか否かを判別する判別手段と、を備えることを特徴としている。
【０００９】
請求項２記載のセンサ状態判別装置は、発光素子と該発光素子が発した光を受光して通電する受光素子からなる複数のセンサと、該複数のセンサの各受光素子とそれぞれ直列に接続された抵抗値の異なる複数の抵抗と、発光素子の駆動電源に接続された電源供給線と、前記複数のセンサの各発光素子を前記電源供給線とともに並列に接続するアース用の接地線と、前記複数のセンサの各受光素子とそれに直列に接続された前記抵抗とを前記接地線とともに並列に接続する信号線と、該信号線を介して前記複数の抵抗のそれぞれと直列に接続されるとともに前記信号線と接続されていない側の端子が検出用電源に接続されたプルアップ抵抗と、電圧値に対応づけて前記複数のセンサの状態に関する情報を記憶する記憶手段と、前記信号線の電圧値に対応する前記センサに関する情報を前記記憶手段から読み出して前記複数のセンサそれぞれについて前記受光素子が通電しているか否かを判別する判別手段と、を備えることを特徴としている。
【００１０】
請求項３記載のセンサ状態判別装置は、請求項２記載のセンサ状態判別装置において、前記複数のセンサは、フォトインタラプタであることを特徴としている。
【００１１】
請求項４記載のセンサ状態判別装置は、請求項２又は３記載のセンサ状態判別装置において、前記複数のセンサは、自装置のカバーの開閉を検出するためのものであることを特徴としている。
【発明の効果】
【００１２】
請求項１記載のセンサ状態判別装置によれば、複数の抵抗の抵抗値が全て異なるので、どのセンサの受光素子が通電したとしても通電している受光素子に接続された抵抗の合成抵抗値が全ての場合で異なる。これにより、信号線の電圧値は、通電している受光素子の組み合わせに応じて異なる電圧値となる。したがって、この信号線の電圧値に対応するセンサに関する情報を予め記憶しておくことにより、簡単な構成で、複数のセンサの状態を判別することができる。
【００１３】
請求項２記載のセンサ状態判別装置によれば、センサの数に関らず、電源供給線と接地線と信号線との３本の電線によりセンサの検出回路を構成することができる。また、従来は、１つの信号線の電圧値からは１つのセンサの状態しか判別できなかったのに対し、本発明のセンサ状態判別装置では、信号線の電圧値は、検出用電源からの電源に対して通電している受光素子に接続された抵抗の合成抵抗とプルアップ抵抗との分圧となるので、１つの電圧値から複数のセンサの状態を容易に判別することができる。
【００１４】
請求項３記載のセンサ状態判別装置によれば、光センサとして一般に用いられるフォトインタラプタを用いて、遮蔽物の有無（例えば、遮蔽物がカバーである場合には、カバーが開放されたか否か）を判別することができる。
【００１５】
請求項４記載のセンサ状態判別装置によれば、センサでカバーの開閉を検出し、その開閉を判別することができる。
【発明を実施するための最良の形態】
【００１６】
以下、本発明の実施形態に係るセンサ状態判別装置をコピー機に具体化した一実施形態について図面に基づいて説明する。コピー機（センサ状態判別装置）１は、図１に例示するように、制御部（ＭＰＵ：Microprocessing Unit）２、ＲＯＭ（Read Only Memory）３、原稿読取部４、コーデック５、画像メモリ６、記録部７、操作部８、表示部９、ＲＡＭ（Random Access Memory）１０、センサ部１１、及びＡ／Ｄ変換器１２を備えたものであって、各部２乃至１０はバス１３によって通信可能に接続されている。
【００１７】
制御部２は、ＲＯＭ３に格納された制御プログラムに従って、このコピー機１を構成する各部を制御するものである。原稿読取部４は、原稿の画像を読取って画像データを出力するものであり、図示しないがＣＣＤ（Charge Coupled Device）等のイメージセンサや光源等の光学系、フラットベッドスキャナ（ＦＢＳ：Flat Bed Scanner）や原稿自動供給装置（ＡＤＦ：Automatic Document Feeder）等の原稿供給機構等を有して構成されている。
【００１８】
コーデック５は、画像データの符号化及び復号を行うものである。具体的には、原稿読取部４で読取られた画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、符号化されている画像データを復号する。画像メモリ６は、原稿読取部４から直接出力された画像データ、コーデック５において符号化された画像データ等を蓄積する。
【００１９】
記録部７は、原稿読取部４において読取られた画像データの画像を用紙に記録するものである。この記録部７における記録方式としては、例えば、電子写真方式を用いることができる。
【００２０】
操作部８は、コピー開始等を指示するためのスタートキー、コピー部数等を入力するためのテンキー、各種操作を行うためのカーソルキーなど、表示部９と連動した各種操作キーを備えている。表示部９は、各種の設定状態やコピー機１の動作状態などを表示する。
【００２１】
ＲＡＭ１０は、制御部２の主メモリ、ワークエリア等として機能し、各種の設定情報等を記憶している。また、ＲＡＭ１０には、後述するセンサ状態検出テーブル１４が設けられている。センサ部１１は、装置の前面や側面に設けられた開閉可能なカバー等の開放を検出するものである。このセンサ部１１の検出信号は、信号線１５を介してＡ／Ｄ変換器１２に出力される。Ａ／Ｄ変換器１２は、センサ部１１から出力された検出信号をＡ／Ｄ変換し、Ａ／Ｄ変換された検出信号を信号線１６を介して制御部２に出力する。制御部２は、Ａ／Ｄ変換器１２から出力された検出信号に基づいて、カバーが開放されているか否か等を判別する。
【００２２】
図２は、センサ部１１の構成を示す回路図である。図示するように、センサ部１１は、第１センサ１７と、第２センサ１８と、第３センサ１９と、第１抵抗２０と、第２抵抗２１と、第３抵抗２２と、電源供給線２３と、接地線２４と、前記信号線１５と、プルアップ（Pull up）抵抗２５と、を備えたものである。
【００２３】
第１センサ１７は、発光素子２６ａ（２６）と受光素子２７ａ（２７）からなり、発光素子２６と受光素子２７の間の遮蔽物２８（例えば、カバー１０４のアーム１０５）が除かれたことを検出するものである。発光素子２６は、コピー機１の発光素子駆動電源（発光素子の駆動電源）２９から供給された電源により発光するものであり、受光素子２７は、遮蔽物２８が除かれて発光素子２６との間の光路が開放されると、発光素子２６が発する光を受光して通電する。第２センサ１８及び第３センサ１９は、第１センサ１７と同様に構成されている。本実施形態においては、発光ダイオード（発光素子）とフォトトランジスタ（受光素子）からなるフォトインタラプタをセンサ１７乃至１９として使用している。
【００２４】
抵抗２０乃至２２は、それぞれ異なる抵抗値を有しており、ここでは、第１抵抗２０は２０ｋΩ、第２抵抗２１は１０ｋΩ、第３抵抗２２は５ｋΩの抵抗値を有している。また、第１抵抗２０は第１センサ１７の受光素子２７ａと、第２抵抗２１は第２センサ１８の受光素子２７ｂ（２７）と、第３抵抗２２は第３センサ１９の受光素子２７ｃ（２７）と、それぞれ直列に接続されている。すなわち、抵抗値の異なるこれら複数の抵抗２０乃至２２は、複数のセンサ１７乃至１９の各受光素子２７とそれぞれ直列に接続されている。なお、各抵抗２０乃至２２は、各受光素子２７ａ乃至２７ｃの信号線１５側に接続されているが、各受光素子２７ａ乃至２７ｃの接地線２４側に接続するようにしてもよい。
【００２５】
電源供給線２３は、発光素子駆動電源２９（ここでは、５Ｖ）に接続されており、発光素子駆動電源２９から各発光素子２６ａ乃至２６ｃに電源を供給するための電線である。各発光素子２６ａ乃至２６ｃは、この電源供給線２３を介して発光素子駆動電源２９から供給された電源により発光する。
【００２６】
接地線２４は、センサ１７乃至１９の各発光素子２６と各受光素子２７の一端を接地（アース）するための電線であり、センサ１７乃至１９の各発光素子２６を電源供給線２３とともに並列に接続する。また、接地線２４はＧＮＤ３０に接続されている。したがって、各発光素子２６ａ乃至２６ｃと各受光素子２７ａ乃至２７ｃは、接地線２４を介してＧＮＤ３０に接続され接地されている。信号線１５は、各受光素子２７ａ乃至２７ｃとそれらに直列に接続された抵抗２０乃至２２とを接地線２４とともに並列に接続する。また、信号線１５は、前述したように、Ａ／Ｄ変換器１２に接続されており、センサ部１１の検出信号として、信号線１５の電圧値がＡ／Ｄ変換器１２に出力される。
【００２７】
プルアップ抵抗２５は、信号線１５を介して抵抗２０乃至２２のそれぞれと直列に接続されるとともに、信号線１５と接続されていない側の端子が検出用電源３１（ここでは、２０Ｖ）に接続されている。また、本実施形態においては、複数のセンサ１７乃至１９の各発光素子２６に電源を供給する発光素子駆動電源２９と信号線１５の電圧値を検出するための検出用電源３１の２つの電源を用いているが、１つ（共通）の電源から各発光素子２６ａ乃至２６ｃ及びプルアップ抵抗２５に電源を供給するようにしてもよい。
【００２８】
上記のように構成されたセンサ部１１において、センサ１７乃至１９の各発光素子２６は、電源供給線２３を介して発光素子駆動電源２９から電源が供給されると、その供給された電源によって発光する。ここで、例えば、第１センサ１７の発光素子２６ａと受光素子２７ａの間にのみ遮蔽物２８が存在している場合には、受光素子２７ａは、遮蔽物２８によって発光素子２６ａからの光路が遮られているため、発光素子２６ａが発した光を受光できず、通電しない。一方、第２センサ１８の受光素子２７ｂは、発光素子２６ｂが発した光を受光して通電し、また、第３センサ１９の受光素子２７ｃは、発光素子２６ｃが発した光を受光して通電する。
【００２９】
図３は、上記の場合のように、第２センサ１８の受光素子２７ｂと第３センサ１９の受光素子２７ｃが通電している状態でのセンサ部１１と等価な構成を示した回路図である。信号線１５と接地線２４の間における第１センサ１７の受光素子２７ａと抵抗２０が直列に接続されたラインが遮断されているので、図示するように、プルアップ抵抗２５が第２抵抗２１及び第３抵抗２２のそれぞれに直列に接続されたものとみなすことができる。このため、Ａ／Ｄ変換器１２に出力される信号線１５の電圧値は、検出用電源３１（２０Ｖ）からの電源に対して第２抵抗２１（１０ｋΩ）及び第３抵抗２２（５ｋΩ）の合成抵抗とプルアップ抵抗２５との分圧となる。したがって、信号線１５と接地線２４の間に並列に接続された第２抵抗２１と第３抵抗２２の合成抵抗が、（１０×５）／（１０＋５）の計算式より約３．３ｋΩとなるので、信号線１５の電圧値は、２０×（３．３／（２０＋３．３））の計算式より約２．８Ｖとなる。このように、信号線１５の電圧値は、検出用電源３１からの電源に対して通電している受光素子に直列に接続された抵抗の合成抵抗とプルアップ抵抗２５との分圧となる。
【００３０】
図４は、センサ１７乃至１９の状態とそれに対する３つの抵抗２０乃至２２の合成抵抗の抵抗値との関係を示した図である。この図において、「０」は、センサ１７乃至１９の各受光素子２７が通電していない、すなわち、カバーが閉じられていることにより発光素子２６と受光素子２７との間の光路が遮蔽物２８によって遮断されていることを示しており、「１」は、センサ１７乃至１９の各受光素子２７が通電している、すなわち、カバーが開放されていることにより発光素子２６と受光素子２７との間の光路が遮蔽物によって遮断されていないことを示している。抵抗２０乃至２２は、いずれも抵抗値が異なるものであるため、図示する８通りの場合で全て合成抵抗の抵抗値が異なっている。
【００３１】
上述したように、通電している受光素子に接続された抵抗の合成抵抗値は、全ての場合で異なり、プルアップ抵抗２５の抵抗値と検出用電源３１の電圧値は、一定の値であるので、信号線１５の電圧値は、通電している受光素子の組み合わせに応じて異なる電圧値となる。したがって、図中の合成抵抗の抵抗値に対する信号線１５の電圧値を予め算出し、算出した電圧値とセンサ１７乃至１９の状態を対応付けて記憶しておけば、逆に信号線１５の電圧値からセンサ１７乃至１９の状態を判別することが可能である。本実施形態に係るコピー機１のＲＡＭ１０には、信号線１５の電圧値からセンサ１７乃至１９の状態を判別するために、センサ状態判別テーブル１４が格納されている。
【００３２】
センサ状態検出テーブル１４は、図５に示すように、「電圧値」フィールドと、「第１センサ」フィールドと、「第２センサ」フィールドと、「第３センサ」フィールドと、からなり、同一レコードの情報が対応付けて格納されている。「電圧値」フィールドには、８通りの信号線１５の電圧値が格納されている。「第１センサ」フィールド、「第２センサ」フィールド、「第３センサ」フィールドには、同一レコードの「電圧値」フィールドの電圧値に対応するセンサ１７乃至１９の状態に関する情報が格納されている。ここで、図中の「０」、「１」は、図４のものと同様に、センサ１７乃至１９の各受光素子２７の通電の有無を示している。例えば、電圧値が「０」の場合の同一レコードには、「第１センサ」フィールド、「第２センサ」フィールド、及び「第３センサ」フィールド全てに「０」が格納されており、いずれのセンサ１７乃至１９においても、各発光素子２６と各受光素子２７の間に遮蔽物２８が存在することを示している。なお、本実施形態においては、３個のセンサ１７乃至１９と３個の抵抗２０乃至２２を用いているので、通電している受光素子に接続された抵抗による合成抵抗は８（２３）通りとなるが、センサの数をｎ個とすると、合成抵抗は２ｎ通りとなり、信号線１５の電圧値も２ｎ通りとなる。
【００３３】
発光素子駆動電源２９から各発光素子２６ａ乃至２６ｃに電源が供給されるとともに、検出用電源３１からプルアップ抵抗２５に電源が供給されると、通電している受光素子に接続された抵抗の合成抵抗値に応じて生じる信号線１５の電圧値は、信号線１５からＡ／Ｄ変換器１２に出力され、Ａ／Ｄ変換器１２は、信号線１５の電圧値をＡ／Ｄ変換して制御部２に出力する。制御部２は、Ａ／Ｄ変換器１２から入力された信号線１５の電圧値に対応するセンサ１７乃至１９に関する情報をＲＡＭ１０のセンサ状態検出テーブル１４から読み出してセンサ１７乃至１９それぞれについて受光素子２７が通電しているか否かを判別する。例えば、Ａ／Ｄ変換器１２から入力された信号線１５の電圧値が２．８Ｖであった場合には、図５に示すセンサ状態検出テーブル１４から「電圧値」フィールドが「２．８」であるレコードの情報を読み出し、読み出したレコードが第１センサ「０」、第２センサ「１」、第３センサ「１」であることから、第１センサ１７の受光素子２７ａは通電しておらず、また、第２センサ１８と第３センサ１９の各受光素子２７が通電していると判別する。遮蔽物２８がカバーのアームである場合には、第１センサ１７が開閉を監視しているカバーが閉じられており、第２センサ１８が開閉を監視しているカバーと第３センサ１９が開閉を監視しているカバーが開放されていると判別することができる。このようにして、制御部２は、センサ１７乃至１９の各受光素子２７の通電の有無を判別して遮蔽物２８が存在するか否かを判別する。
【００３４】
なお、本実施形態においては、３つのセンサ１７乃至１９を配設した場合について説明したが、センサの数は複数であればこれに限定されるものではない。また、発光素子２６と受光素子２７の間にあった遮蔽物２８がカバーの開放によって除かれて受光素子２７が通電する構成のセンサ１７乃至１９について説明したが、センサの構成はこれに限定されるものではなく、いわゆる、反射型のセンサであってもよい。また、センサ部１１がカバーの状態を検出し、制御部２がその検出信号に基づいて、カバーが開放されているか否かを判別する場合について説明したが、センサ部１１の検出対象はこれに限定されるものではなく、例えば、前記反射型のセンサを用いて、原稿載置板に載置される原稿を検出対象としてもよい。
【産業上の利用可能性】
【００３５】
本発明は、例えば、コピー機やファクシミリ装置、これらの複合機に適用することができる。
【図面の簡単な説明】
【００３６】
【図１】本発明の実施形態に係るコピー機の構成例を示すブロック図である。
【図２】本発明の実施形態に係るコピー機のセンサ部と等価な構成を示す回路図である。
【図３】第２センサの受光素子と第３センサの受光素子が通電している状態でのセンサ部の構成を示す回路図である。
【図４】通電している受光素子に接続された抵抗による合成抵抗の抵抗値を示す図である。
【図５】センサ状態検出テーブルを示す図である。
【図６】フォトインタラプタの構成例を示す図である。
【図７】従来のセンサ状態判別装置の構成例を示す回路図である。
【符号の説明】
【００３７】
１    コピー機（センサ状態判別装置）
２    制御部（判別手段）
３    ＲＯＭ
１０    ＲＡＭ（記憶手段）
１５    信号線
１７    第１センサ
１８    第２センサ
１９    第３センサ
２０    第１抵抗
２１    第２抵抗
２２    第３抵抗
２３    電源供給線
２４    接地線
２５    プルアップ抵抗
２６    発光素子
２７    受光素子
２９    発光素子駆動電源（発光素子の駆動電源）
３１    検出用電源
【図１】
2006067196.tif 000003
【図２】
2006067196.tif 000004
【図３】
2006067196.tif 000005
【図４】
2006067196.tif 000006
【図５】
2006067196.tif 000007
【図６】
2006067196.tif 000008
【図７】
2006067196.tif 000009